(57)【要約】【課題】  表示装置に含まれる欠陥画素を目立ちにくくする新たな技術を提供する。【解決手段】  表示装置は、複数の画素を有する表示部と、複数の画素が表示に関する欠陥を有する欠陥画素を含む場合に、元画像データを修正して得られる修正画像データを取得する修正画像データ取得部と、を備える。修正画像データは、欠陥画素の近傍に位置する複数個の第１の画素に対応する複数個の第１の修正画素値と、欠陥画素の近傍に位置する複数個の第２の画素に対応する複数個の第２の修正画素値と、を含む。各第１の修正画素値は、対応する元画素値より大きく、各第２の修正画素値は、元画像データ内の対応する画素値より小さい。【選択図】  図６
2014052613.tif 000002
【特許請求の範囲】
【請求項１】
表示装置であって、
複数個の画素を有する表示部と、
前記表示部の前記複数の画素が、表示に関する欠陥を有する欠陥画素を含む場合に、元画像を表す元画像データを修正して得られる修正画像データを取得する修正画像データ取得部であって、前記修正画像データは、前記欠陥画素の近傍に位置する複数個の第１の画素に対応する複数個の第１の修正画素値と、前記欠陥画素の近傍に位置する複数個の第２の画素に対応する複数個の第２の修正画素値と、を含む、前記修正画像データ取得部と、
前記修正画像データを用いて、前記元画像に代えて、修正画像を前記表示部に表示させる表示制御部と、
を備え、
各前記第１の修正画素値は、前記元画像データ内の対応する画素値より大きく、
各前記第２の修正画素値は、前記元画像データ内の対応する画素値より小さい、表示装置。
【請求項２】
請求項１に記載の表示装置であって、
前記修正画像データは、前記元画像データのうち、少なくとも前記欠陥画素と、前記複数個の第１の画素と、前記複数個の第２の画素と、に対応する画像領域を表すデータに対して、ディザマトリクスを適用して得られる二値画像データを含み、
前記第１の修正画素値は、前記二値画像データを構成する第１値であり、前記第２の修正画素値は、前記二値画像データを構成する第２値である、表示装置。
【請求項３】
請求項２に記載の表示装置であって、
前記第１値は、前記元画像データの画素値が取り得る値の最大値であり、
前記第２値は、前記元画像データの画素値が取り得る値の最小値である、表示装置。
【請求項４】
請求項２または請求項３に記載の表示装置であって、
前記二値画像データを構成する複数の画素値は、前記欠陥画素に対応する画素値が、欠陥色値になるように、配置され、
前記欠陥色値は、前記第１値および前記第２値のうちの一方の値であって、前記第１値および前記第２値のうちの他方の値よりも、前記欠陥画素に表示される色を表す値に、近い値である、表示装置。
【請求項５】
請求項４に記載の表示装置であって、
前記欠陥色値が、前記第１値である場合には、前記ディザマトリクスは、前記ディザマトリクスの最小閾値が、前記欠陥画素に対応する前記元画像データの画素値に対応するように、適用され、
前記欠陥色値が、前記第２値である場合には、前記ディザマトリクスは、前記ディザマトリクスの最大閾値が、前記欠陥画素に対応する前記元画像データの画素値に対応するように、適用される、表示装置。
【請求項６】
請求項２ないし請求項５のいずれかに記載の表示装置であって、
前記複数個の画素のそれぞれは、第１の色成分に対応する第１のサブ画素と、第２の色成分に対応する第２のサブ画素と、を含み、
前記修正画像データは、第１の色成分に対応する第１の成分画像データと、第２の色成分に対応する第２の成分画像データと、を含み、
前記第１の成分画像データは、前記二値画像データを含み、
前記第２の成分画像データは、３以上の階調数を有する多値画像データであり、
前記複数個の画素に含まれる複数個の前記第１のサブ画素は、前記欠陥画素を含み、
前記複数個の画素に含まれる複数個の前記第２のサブ画素は、前記欠陥画素を含まない、表示装置。
【請求項７】
請求項１に記載の表示装置であって、
前記複数個の第１の修正画素値と、前記複数個の第２の修正画素値と、のうちの一方の画素値群は、前記欠陥画素に表示される色を表す画素値にほぼ等しい画素値を有し、
他方の画素値群は、前記一方の画素値群と比較して、前記欠陥画素に表示される色を表す画素値から離れた画素値であって、前記元画像データ内の前記欠陥画素に対応する画素値と、前記欠陥画素に表示される色を表す画素値と、の差分を用いて得られる前記画素値を有する、表示装置。
【請求項８】
請求項７に記載の表示装置であって、
前記一方の画素値群は、前記元画像データの画素値が取り得る最大値および最小値のうちの一方の画素値を有し、
前記他方の画素値群は、前記元画像データの画素値が取り得る値のうち、前記最大値および前記最小値を除いたいずれかの画素値を有する、表示装置。
【請求項９】
請求項７または請求項８に記載の表示装置であって、
前記修正画像データは、少なくとも１個の第１の修正画素値と、少なくとも１個の第２の修正画素値とを含む画素配置パターンが複数個並べられた領域を含み、
前記画素配置パターンは、
前記複数個の第１の修正画素値が、前記欠陥画素に表示される色を表す画素値にほぼ等しい画素値である場合には、１個の前記第１の修正画素値が前記欠陥画素の位置に対応するように配置され、
前記複数個の第２の修正画素値が、前記欠陥画素に表示される色を表す画素値にほぼ等しい画素値である場合には、１個の前記第２の修正画素値が前記欠陥画素の位置に対応するように配置される、表示装置。
【請求項１０】
複数の画素を有する表示部を備える表示装置を制御するコンピュータプログラムであって、
前記表示部の前記複数の画素が、表示に関する欠陥を有する欠陥画素を含む場合に、元画像を表す元画像データを修正して得られる修正画像データを取得する修正画像データ取得機能であって、前記修正画像データは、前記欠陥画素の近傍に位置する複数個の第１の画素に対応する複数個の第１の修正画素値と、前記欠陥画素の近傍に位置する複数個の第２の画素に対応する複数個の第２の修正画素値と、を含む、前記修正画像データ取得機能と、
前記修正画像データを用いて、前記元画像に代えて、修正画像を前記表示部に表示させる表示制御機能と、
をコンピュータに実現させ、
各前記第１の修正画素値は、前記元画像データ内の対応する画素値である第１の元画素値より大きく、
各前記第２の修正画素は、前記元画像データ内の対応する画素値である第２の元画素値より小さい、コンピュータプログラム。
【発明の詳細な説明】
【技術分野】
【０００１】
本発明は、表示装置に欠陥画素が含まれる場合に実行される技術に関する。
【背景技術】
【０００２】
液晶ディスプレイなどの表示装置は、素子や配線の不良等による欠陥画素を含む場合がある。欠陥画素は、例えば、常に消灯した（暗く見える）暗欠陥画素と、常に点灯した（明るく見える）明欠陥画素とを含んでいる。これらの欠陥画素を目立たなくするために、暗欠陥画素の周囲の画素を、本来表示すべき明るさより明るく表示し、明欠陥画素の周囲の画素を、本来表示すべき明るさより暗く表示する技術が知られている（例えば、特許文献１）。こうすれば、欠陥画素と周囲の画素との全体の明るさを本来表示すべき明るさに近づけることによって、欠陥画素を目立ちにくくすることができる。
【先行技術文献】
【特許文献】
【０００３】
【特許文献１】特開２００６−６７２０３号公報
【発明の概要】
【発明が解決しようとする課題】
【０００４】
しかしながら、上記技術では、十分に欠陥画素を目立ちにくくすることができない可能性があった。例えば、表示装置の解像度が比較的低い場合や、観察者が比較的近い距離から表示装置を観察する場合には、個々の画素が観察者によって識別されやすいために、上記技術を用いても欠陥画素が目立ち易い場合があった。
【０００５】
本発明の主な利点は、表示装置に含まれる欠陥画素を目立ちにくくする新たな技術を提供することである。
【課題を解決するための手段】
【０００６】
本発明は、上述の課題の少なくとも一部を解決するためになされたものであり、以下の適用例として実現することが可能である。
【０００７】
［適用例１］表示装置であって、複数個の画素を有する表示部と、前記表示部の前記複数の画素が、表示に関する欠陥を有する欠陥画素を含む場合に、元画像を表す元画像データを修正して得られる修正画像データを取得する修正画像データ取得部であって、前記修正画像データは、前記欠陥画素の近傍に位置する複数個の第１の画素に対応する複数個の第１の修正画素値と、前記欠陥画素の近傍に位置する複数個の第２の画素に対応する複数個の第２の修正画素値と、を含む、前記修正画像データ取得部と、前記修正画像データを用いて、前記元画像に代えて、修正画像を前記表示部に表示させる表示制御部と、を備え、各前記第１の修正画素値は、前記元画像データ内の対応する画素値である第１の元画素値より大きく、各前記第２の修正画素は、前記元画像データ内の対応する画素値である第２の元画素値より小さい、表示装置。
【０００８】
欠陥画素には、対応する元画像データの画素値より大きい画素値で表される色や、対応する元画像データの画素値より小さい画素値で表される色（例えば、最明色や最暗色）が表示される。上記構成によれば、欠陥画素の近傍の複数個の第１の画素で、対応する元画像データの画素値（元画素値）より大きい第１の修正画素値で表される色が表示され、欠陥画素の近傍の複数個の第２の画素で、元画素値より小さい第２の修正画素値で表される色が表示される。したがって、欠陥画素に表示される色に比較的近い色が、欠陥画素の近傍の複数個の画素に表示されるので、欠陥画素が目立つことを抑制することができる。また、欠陥画素の近傍に、元画素値より大きい第１の修正画素値で表される色と、元画素値より小さい第２の修正画素値で表される色と、が表示される。この結果、欠陥画素の近傍の平均色が、元画素値が表す色と比較して、過度に異なる色となることを抑制することができる。この結果、欠陥画素が目立つことを抑制しつつ、本来表示すべき元画像と比べて違和感のない画像を表示することができる。
【０００９】
［適用例２］表示装置の製造方法であって、複数の画素を有する表示部と、前記表示部に画像を表示させる表示制御部とを備える前記表示装置を準備する工程と、前記表示部の前記複数の画素が、表示に関する欠陥を有する欠陥画素を含む場合に、元画像を表す元画像データを修正して修正画像データを生成する工程と、前記修正画像データを用いて、前記修正画像を表示させるように、前記表示制御部に対する設定を行う工程と、を備え、前記修正画像データは、前記欠陥画素の近傍に位置する複数個の第１の画素に対応する複数個の第１の修正画素値と、前記欠陥画素の近傍に位置する複数個の第２の画素に対応する複数個の第２の修正画素値と、を含み、各前記第１の修正画素値は、前記元画像データ内の対応する画素値である第１の元画素値より大きく、各前記第２の修正画素は、前記元画像データ内の対応する画素値である第２の元画素値より小さい、表示装置の製造方法。
【００１０】
本発明は、種々の形態で実現することが可能であり、例えば、上記装置の機能を実現する方法、上記装置の機能を実現するコンピュータプログラム、当該コンピュータプログラムを記録した記録媒体、等の形態で実現することができる。
【図面の簡単な説明】
【００１１】
【図１】実施例における表示装置としての複合機２００の構成を示すブロック図。
【図２】表示部２７０の表示パネル２７０Ｐの概略構成図。
【図３】ＵＩ用画像データが表すＵＩ用画像の一例を示す図。
【図４】表示設定処理のフローチャート。
【図５】欠陥情報記録テーブルＤＴの一例を示す図。
【図６】修正画像データ取得処理のフローチャート。
【図７】ディザマトリクスの説明図。
【図８】ディザマトリクスのサイズの決定について説明する図。
【図９】ディザマトリクスのオフセット量の決定について説明する図。
【図１０】成分修正画像データについて説明する図。
【図１１】修正画像データによって表される修正画像５０Ｃの一例を示す図。
【図１２】ＵＩ画面表示処理のフローチャート。
【図１３】ＵＩ画面表示処理によって表示部２７０に表示されるＵＩ画面の一例を示す図。
【図１４】第２実施例のマトリクスについて説明する図。
【図１５】修正用マトリクスのオフセット量の決定について説明する図。
【図１６】第２実施例の成分修正画像データについて説明する図。
【図１７】第３実施例の製造方法で用いられる表示設定システム１０００の概略構成図。
【図１８】表示設定のフローチャート。
【発明を実施するための形態】
【００１２】
Ａ．第１実施例：
Ａ−１．複合機の構成：
次に、本発明の実施の形態を実施例に基づき説明する。図１は、実施例における表示装置としての複合機２００の構成を示すブロック図である。
【００１３】
複合機２００は、ＣＰＵ２１０と、ハードディスクドライブやＥＥＰＲＯＭなどの不揮発性記憶装置２２０と、ＲＡＭなどの揮発性記憶装置２３０と、所定の方式（例えば、インクジェット、レーザー）で画像を印刷するプリンタ部２４０と、光電変換素子（例えば、ＣＣＤ、ＣＭＯＳ）を用いて原稿を読み取るスキャナ部２５０と、タッチパネルやボタンなどの操作部２６０と、表示パネル２７０Ｐ（図２：後述）を含む表示部２７０と、パーソナルコンピュータやＵＳＢメモリ（図示省略）などの外部装置とデータ通信を行うための通信部２８０と、を備えている。表示部２７０は、例えば、ユーザインタフェース画面（ＵＩ画面）を表示するために、用いられる。ＵＩ画面は、操作部２６０と協働して、ユーザからの操作を受け付けたり、ユーザに複合機２００に関する情報を提供したりするための画面である。本実施例の複合機２００では、操作部２６０のタッチパネルと、表示パネル２７０Ｐと、が重畳されている。この結果、表示パネル２７０Ｐに表示されたＵＩ画面にユーザが指で触れることによって、複合機２００を操作可能なユーザインタフェースが実現されている。
【００１４】
揮発性記憶装置２３０には、ＣＰＵ２１０が処理を行う際に生成される種々の中間データを一時的に格納するバッファ領域２３１が設けられている。不揮発性記憶装置２２０は、複合機２００を制御するためのコンピュータプログラム２２２と、コンテンツ画像データ群２２４と、ＵＩ用画像データ群２２６と、マトリクスデータ２２８と、を格納している。コンピュータプログラム２２２は、例えば、ＣＤ−ＲＯＭなどに記録された形態で提供され得る。コンテンツ画像データ群２２４は、複合機２００が備える画像処理機能によって、処理対象とされる画像データ、あるいは、処理対象とされた画像データを含む画像データ群である。例えば、コンテンツ画像データ群２２４には、スキャナ部２５０によって生成された画像データ（スキャンデータ）、プリンタ部２４０による印刷処理の対象とされ得る画像データが含まれる。また、コンテンツ画像データ群２２４には、これらの画像データが表す画像を縮小した画像（例えば、サムネイル画像）を表す画像データが含まれる。マトリクスデータ２２８は、後述する画像処理において使用されるマトリクス（ディザマトリクスＭＴ１（図７）、修正用マトリクスＭＴ３（図１４）など）を規定するデータである。ＵＩ用画像データ群２２６については、後述する。
【００１５】
ＣＰＵ２１０は、コンピュータプログラム２２２を実行することにより、後述する画像処理を実行するＵＩ制御部１００と、プリンタ部２４０やスキャナ部２５０を制御する装置制御部２０として機能する。ＵＩ制御部１００は、欠陥情報取得部１１０と、修正画像データ取得部１２０と、表示制御部１３０と、を備えている。これらの各機能部が実行する処理については、後述する。
【００１６】
図２は、表示部２７０の表示パネル２７０Ｐの概略構成図である。表示パネル２７０Ｐは、フルカラーの画像を表示可能なカラーパネルであり、本実施例では、液晶パネルである。表示パネル２７０Ｐは、プラズマパネル、有機ＥＬパネルであっても良い。表示パネル２７０Ｐは、マトリクス状に並んだＭ１個（Ｍ１は自然数、例えば、縦２００個×横２００個＝４００００個）の画素ＰＸを備えている。各画素ＰＸは、３種類の色成分（ＲＧＢ）に対応する３個のサブ画素、すなわち、Ｒ成分に対応する１個の赤サブ画素ＳＲと、Ｇ成分に対応する１個の緑サブ画素ＳＧと、Ｂ成分に対応する１個の青サブ画素ＳＢを、含んでいる。この結果、各画素ＰＸは、ＲＧＢ値（画素データ）に従って、ＲＧＢ表色系で表される色を表示することができる。ＲＧＢ値は、３種類の色成分（ＲＧＢ）の明度を表す３個の階調値を含む。各階調値は、所定の階調数（本実施例では、０〜２５５の２５６階調）の値を取る。以下、Ｒ成分の階調値をＲ値、Ｇ成分の階調値をＧ値、Ｂ成分の階調値をＢ値とも呼ぶ。
【００１７】
３×Ｍ１個のサブ画素は、表示に関する欠陥を有する欠陥サブ画素を含む場合がある。サブ画素の欠陥は、例えば、サブ画素の構成要素（例えば、電極、駆動素子（トランジスタ））の不具合によって、製造時や、製造後の使用時に、発生する。サブ画素の欠陥には、サブ画素が、常に消灯（ＯＦＦ）する暗欠陥（ＯＦＦ欠陥とも呼ぶ）と、サブ画素が、常に点灯（ＯＮ）する明欠陥（ＯＮ欠陥とも呼ぶ）と、が含まれる。暗欠陥を有する赤サブ画素ＳＲ、緑サブ画素ＳＧ、青サブ画素ＳＢは、常に最低明度の色（本実施例では、階調値０に対応する色）、すなわち、黒を表示する。明欠陥を有する赤サブ画素ＳＲ、緑サブ画素ＳＧ、青サブ画素ＳＢは、常に最高明度の色（本実施例では、階調値２５５に対応する色）、すなわち、赤、緑、青の原色をそれぞれ表示する。
【００１８】
少なくとも１個の欠陥サブ画素を含む画素ＰＸは、欠陥画素である。図２には、符号ＤＰで、欠陥画素を示している。以下では、欠陥サブ画素に対応する色成分と、欠陥サブ画素が暗欠陥および明欠陥のいずれかと、を用いて、欠陥画素の種類を表す場合がある。欠陥サブ画素に対応する色成分は、ＲＧＢのいずれかであり、欠陥色成分とも呼ぶ。例えば、明欠陥を有する青サブ画素ＳＢを含む欠陥画素を、Ｂ成分の明欠陥を有する欠陥画素とも呼ぶ。図２の右方向をＸ軸の正方向、下方向をＹ軸の正方向とし、左上角の画素ＰＸの座標（Ｘ、Ｙ）を（１、１）とした座標を用いて、画素ＰＸを特定する場合がある。例えば、図２の欠陥画素ＤＰは、左から６番目、上から４番目の位置にあるので、画素ＰＸ（６，４）と表すことができる。この欠陥画素ＤＰ（画素ＰＸ（６，４））は、説明の都合上、Ｒ成分の欠陥画素であるものとする。
【００１９】
ＵＩ用画像データ群２２６は、表示部２７０にＵＩ画面として表示される複数種類の画像を表す複数種類のＵＩ用画像データを含んでいる。
【００２０】
図３は、ＵＩ用画像データが表すＵＩ用画像の一例を示す図である。ＵＩ用画像データが表すＵＩ用画像から、後述する修正画像データが生成されるので、ＵＩ用画像データを「元画像データ」とも呼び、ＵＩ用画像を「元画像」とも呼ぶ。図３（Ａ）に例示されたＵＩ用画像（元画像）５０は、コンテンツ背景画像５１と、第１アイコン画像５２と、第２アイコン画像５３と、第３アイコン画像５４と、を含んでいる。コンテンツ背景画像５１は、後述するようにコンテンツ画像を重畳して表示するための表示領域を表す画像であり、重畳して表示されたコンテンツ画像の背景を表す画像である。アイコン画像は、処理の内容や対象を表現した絵、記号、文字などを含む画像である。本実施例では、タッチパネルと表示パネル２７０Ｐとが重畳されているので、ユーザは、例えば、アイコン画像を指で触ることにより、複合機２００に対する操作（例えば、印刷指示）を行うことができる。例えば、第１アイコン画像５２は、コンテンツ背景画像に重畳して表示されたコンテンツ画像の印刷指示を受け付けるためのアイコン画像である。また、第２アイコン画像５３は、コンテンツ背景画像に重畳して表示されたコンテンツ画像をＥメールに添付して送信する送信指示を受け付けるためのアイコン画像である。また、第３アイコン画像５４は、コンテンツ背景画像に重畳して表示されたコンテンツ画像を、別のコンテンツ画像に切り替える切替指示を受け付けるためのアイコン画像である。
【００２１】
ＵＩ用画像の元画像データは、ＲＧＢ画像データであり、元画像データに含まれる各画素データは、ＲＧＢの３個の色成分の階調値（Ｒ値、Ｇ値、Ｂ値）を含んでいる。すなわち、ＲＧＢ画像データは、３個の色成分にそれぞれ対応する３個の成分画像データ（Ｒ成分画像データ、Ｇ成分画像データ、Ｂ成分画像データ）を含んでいると言うことができる。各成分画像データは、３個の色成分の階調値のうちの１つの階調値を画素値とする画像データである。図３（Ａ）には、元画像データの３個の成分画像データによって表される３個の画像（Ｒ元画像５０Ｒ、Ｇ成分画像５０Ｇ、Ｂ成分画像５０Ｂ）が図示されている。
【００２２】
図３（Ｂ）には、Ｒ元画像５０Ｒの一部拡大図を概念的に示している。元画像データに含まれる３個の成分画像データの画素値（元画素値とも呼ぶ。Ｒ値、Ｇ値、Ｂ値のいずれかである）は、いずれも０〜２５５までの２５６階調のいずれかの値を取る。図３（Ｂ）の例では、Ｒ成分の元画素値ＰＶは、全て「２００」である。各成分画像データ内の元画素値の数、すなわち、元画像データが表す元画像に含まれる画素の数は、表示パネル２７０Ｐに含まれる画素ＰＸの数（Ｍ１個）と同じである。Ｍ１個の元画素値と、表示パネル２７０Ｐに含まれるＭ１個の画素ＰＸは、１対１に対応している。例えば、図３（Ｂ）のＲ元画像５０Ｒにおける左から６番目、上から４番目の元画素値ＰＶ（ハッチング）は、表示パネル２７０Ｐにおける、Ｒ成分の欠陥画素ＤＰ（画素ＰＸ（６、４））（図２）に対応しており、元画素値ＰＶ（６、４）と表す。このＲ成分の元画素値ＰＶ（６、４）は、Ｒ成分の欠陥画素ＤＰ（画素ＰＸ（６、４））に対応しているので、欠陥対応元画素値ＤＶとも呼ぶ。
【００２３】
Ａ−２．画像処理：
ＵＩ制御部１００は、ＵＩ画面を表示部２７０に表示するための一連の画像処理を実行する。この画像処理は、表示設定処理（図４）と、ＵＩ画面表示処理（図１２：後述）と、を含んでいる。
【００２４】
Ａ−２−１．表示設定処理：
図４は、表示設定処理のフローチャートである。表示設定処理は、例えば、ユーザからの実行指示が、操作部２６０を介して受け付けられた場合に、実行される。
【００２５】
ステップＳ１０では、欠陥情報取得部１１０は、欠陥情報入力画面を表示部２７０（表示パネル２７０Ｐ）に表示して、ユーザから欠陥情報の入力を受け付ける。上述した図２に示す表示パネル２７０Ｐには、欠陥情報入力画面の一例が表示されている。欠陥情報入力画面には、縦線ＶＬと、横線ＨＬと、単色領域ＳＣと、が表示される。縦線ＶＬは、表示パネル２７０Ｐの上端から下端まで、縦方向（図２：Ｙ方向）に延びる線である。縦線ＶＬの横方向の幅は、１画素分の幅である。横線ＨＬは、表示パネル２７０Ｐの右端から左端まで、横方向（図２：Ｘ方向）に延びる線である。横線ＨＬの縦方向の幅は、１画素分の幅である。単色領域ＳＣは、表示パネル２７０Ｐの全領域のうち、縦線ＶＬと、横線ＨＬと、が表示された領域を除いた領域である。
【００２６】
縦線ＶＬと、横線ＨＬとは、欠陥画素ＤＰ（図２）の位置を入力するための線であり、位置入力線とも呼ぶ。すなわち、縦線ＶＬは、ユーザの操作に応じて左右に移動し、横線ＨＬは、ユーザの操作に応じて上下に移動する。ユーザは、縦線ＶＬと、横線ＨＬと、を移動させて、縦線ＶＬと横線ＨＬとの交点の位置と、欠陥画素ＤＰの位置と、を一致させることによって、欠陥画素ＤＰの位置を入力することができる。
【００２７】
本実施例では、単色領域ＳＣと２本の位置特定線ＶＬ、ＨＬとの色が互いに異なる４種類の欠陥情報入力画面が順次に表示され、各欠陥情報入力画面にて、欠陥情報の入力を受け付ける。
【００２８】
第１の欠陥情報入力画面は、単色領域ＳＣの色が赤（ＲＧＢ＝（２５５、０、０））に制御され、２本の位置特定線ＶＬ、ＨＬが黒（ＲＧＢ＝（０、０、０））に制御された画面である。第１の欠陥情報入力画面では、単色領域ＳＣ内にある、Ｒ成分の暗欠陥を有する欠陥画素が、黒に表示されるので、当該欠陥画素の存在をユーザが容易に認識できる。第１の欠陥情報入力画面では、Ｒ成分の暗欠陥を有する欠陥画素が存在する場合に、当該欠陥画素の画素位置がユーザから入力される。
【００２９】
第２の欠陥情報入力画面は、単色領域ＳＣの色が緑（ＲＧＢ＝（０、２５５、０））に制御され、２本の位置特定線ＶＬ、ＨＬが黒に制御された画面である。第２の欠陥情報入力画面では、単色領域ＳＣ内にある、Ｇ成分の暗欠陥を有する欠陥画素が、黒に表示されるので、当該欠陥画素の存在をユーザが容易に認識できる。第２の欠陥情報入力画面では、Ｇ成分の暗欠陥を有する欠陥画素が存在する場合に、当該欠陥画素の画素位置がユーザから入力される。
【００３０】
第３の欠陥情報入力画面は、単色領域ＳＣの色が青（ＲＧＢ＝（０、０、２５５））に制御され、２本の位置特定線ＶＬ、ＨＬが黒に制御された画面である。第３の欠陥情報入力画面では、単色領域ＳＣ内にある、Ｂ成分の暗欠陥を有する欠陥画素が黒に表示されるので、当該欠陥画素の存在をユーザが容易に認識できる。第３の欠陥情報入力画面では、Ｂ成分の暗欠陥を有する欠陥画素が存在する場合に、当該欠陥画素の画素位置がユーザから入力される。
【００３１】
第４の欠陥情報入力画面は、単色領域ＳＣの色が黒に制御され、２本の位置特定線ＶＬ、ＨＬが白（ＲＧＢ＝（２５５、２５５、２５５））に制御された画面である。第４の欠陥情報入力画面では、単色領域ＳＣ内にある、ＲＧＢの各色成分の明欠陥を有する欠陥画素が、赤、緑、青、シアン、マゼンダ、イエロ、白、のうちのいずれか表示されるので、当該欠陥画素の存在をユーザが容易に認識できる。例えば、Ｒ成分に明欠陥を有し、Ｇ成分及びＢ成分に明欠陥を有さない欠陥画素は、赤で表示される。例えば、Ｒ成分とＧ成分とに明欠陥を有し、Ｂ成分に明欠陥を有さない欠陥画素は、イエロで表示される。例えば、Ｒ成分とＢ成分とに明欠陥を有し、Ｇ成分に明欠陥を有さない欠陥画素は、マゼンダで表示される。例えば、Ｇ成分とＢ成分とに明欠陥を有し、Ｒ成分に明欠陥を有さない欠陥画素は、シアンで表示される。例えば、Ｒ成分とＧ成分とＢ成分とに明欠陥を有する欠陥画素は、白で表示される。第４の欠陥情報入力画面では、明欠陥を有する欠陥画素が存在する場合に、当該欠陥画素の画素位置と色（赤、緑、青、シアン、マゼンダ、イエロ、白、のいずれか）がユーザから入力される。
【００３２】
ステップＳ２０では、欠陥情報取得部１１０は、ステップＳ１０で受け付けられたユーザの入力に基づいて、欠陥情報を取得する。取得された欠陥情報は、例えば、欠陥情報記録テーブルＤＴに記録される。
【００３３】
図５は、欠陥情報記録テーブルＤＴの一例を示す図である。欠陥情報記録テーブルＤＴには、欠陥画素の位置を特定する情報（Ｘ座標と、Ｙ座標）と、欠陥画素の種類を特定する情報とが、欠陥画素ごとに記録される。欠陥画素の種類を特定する情報は、欠陥色成分（ＲＧＢのいずれか）を示す情報と、欠陥画素が明欠陥であるか暗欠陥であるか（ＯＮ／ＯＦＦ）を示す情報である。例えば、欠陥情報記録テーブルＤＴの上から１行目の欠陥情報は、「Ｒ成分の明欠陥（ＯＮ欠陥）を有する欠陥画素が、座標（Ｘ１、Ｙ１）に存在する」ことを示している。ここで、欠陥色成分は、「欠陥画素に含まれる３個のサブ画素のうち、欠陥を有するサブ画素に対応する色成分」のことを指す。また、欠陥情報記録テーブルＤＴに記録された欠陥情報は、色成分（サブ画素の種類）に対応付けられているので、「複数種類のサブ画素ごとの欠陥に関する情報」とも言うことができる。
【００３４】
ステップＳ３０では、修正画像データ取得部１２０は、修正画像データ取得処理を実行する。修正画像データ取得処理は、上述したＵＩ画像の元画像データを修正して、修正画像データを生成（取得）する処理である。
【００３５】
図６は、修正画像データ取得処理のフローチャートである。
ステップＳ３０５では、修正画像データ取得部１２０は、ＵＩ用画像データ群２２６から、処理対象とする１個の元画像データ（ＵＩ用画像データ）を選択する。ステップＳ３１０では、修正画像データ取得部１２０は、３個の色成分（ＲＧＢ）の中から、処理対象とする１個の色成分を選択する。
【００３６】
ステップＳ３２０では、修正画像データ取得部１２０は、表示部２７０に、処理対象の色成分の欠陥画素があるか否かを判断する。例えば、Ｒ成分が処理対象である場合には、修正画像データ取得部１２０は、欠陥情報記録テーブルＤＴ（図５）に、欠陥色成分がＲ成分である欠陥画素に関する情報が登録されている場合には、処理対象の色成分の欠陥画素があると判断する。
【００３７】
処理対象の色成分の欠陥画素がない場合には（Ｓ３２０：ＮＯ）、修正画像データ取得部１２０は、ステップＳ３５０に処理を移行する。処理対象の色成分の欠陥画素がある場合には（Ｓ３２０：ＹＥＳ）、修正画像データ取得部１２０は、処理対象の色成分の欠陥画素は、１個であるか否かを判断する（Ｓ３２５）。
【００３８】
処理対象の色成分の欠陥画素が１個である場合には（Ｓ３２５：ＹＥＳ）、修正画像データ取得部１２０は、デフォルトサイズのディザマトリクスＭＴ１を選択する（Ｓ３３０）。
【００３９】
図７は、ディザマトリクスの説明図である。図７（Ａ）のディザマトリクスＭＴ１は、マトリクス状に並べられた縦４行×横４列（計１６個）のセルＣＥを備えている。各セルＣＥには、閾値ＴＶが設定されている。図７（Ａ）の各セルＣＥの内部に示した数字は、各セルＣＥに設定されている閾値ＴＶを示している。１６個の閾値ＴＶは、入力される階調値の取り得る範囲（例えば、０〜２５５）の全体に略均等に分布するように設定されている。このディザマトリクスＭＴ１を用いて作成された二値画像データは、縦４行×横４列の画素群で１６階調の明るさを表現することができる。ディザマトリクスＭＴ１に設定された１６個の閾値ＴＶのうちの最小値である最小閾値が設定されたセルＣＥ＿ｍｉ（最小閾値セルＣＥ＿ｍｉ）は、左上角に位置するセルである。ディザマトリクスＭＴ１に設定された１６個の閾値ＴＶのうちの最大値である最大閾値が設定されたセルＣＥ＿ｍｘ（最大閾値セルＣＥ＿ｍｘ）は、右上角に位置するセルである。
【００４０】
デフォルトのディザマトリクスは、縦４行×横４列のセルＣＥを備えるディザマトリクスＭＴ１に限らず、様々な大きさのディザマトリクスが採用され得る。例えば、図７（Ｂ）に示すように、縦８行×横８列（計６４個）のセルＣＥを備えるディザマトリクスＭＴ２が採用されても良い。このディザマトリクスＭＴ１を用いて作成された二値画像データは、縦８行×横８列の画素群で６４階調の明るさを表現することができる。このように、サイズが大きいディザマトリクスは、表現可能な明るさの階調数が多い（元画像の明るさの再現性が高い）というメリットがある。サイズが大きいディザマトリクスは、二値画像データ内に形成される二値のパターンのサイズが大きくなるので、当該パターンが観察者から見て目立ちやすいというデメリットがある。これらのメリットとデメリットを勘案して、適切なサイズのディザマトリクスが用いられる。
【００４１】
処理対象の色成分の欠陥画素が１個でない場合には（Ｓ３２５：ＮＯ）、すなわち、欠陥画素の数が２個以上である場合には、修正画像データ取得部１２０は、複数個の欠陥画素に応じてディザマトリクスのサイズを決定し、決定したサイズのディザマトリクスを生成する（Ｓ３３５）。ディザマトリクスの生成は、周知の方法で実行することができる。例えば、周知の分散型ディザマトリクスの生成方法に従って行うことができるので、その説明を省略する。また、修正画像データ取得部１２０は、予め記憶された複数のサイズのディザマトリクスの中から、決定されたサイズのディザマトリクスを選択しても良い。ディザマトリクスのサイズの決定手法を以下に説明する。
【００４２】
図８は、ディザマトリクスのサイズの決定について説明する図である。図８の例では、２個の欠陥画素ＤＰ１、ＤＰ２が図示されている。このように、２個の同種の欠陥画素が存在する場合には、修正画像データ取得部１２０は、２個の欠陥画素ＤＰ１、ＤＰ２の間のＸ方向（図８の左右方向）の距離ＤＸと、Ｙ方向（図８の上下方向）の距離ＤＹとを算出する。図８の例では、距離ＤＸ＝１２、ＤＹ＝６である。修正画像データ取得部１２０は、ディザマトリクスのサイズを、Ｘ方向の距離ＤＸの１以外の約数（ＤＸ＝１２の場合には、２、３、４、６、１２）のいずれかをＸ方向の幅とし、Ｙ方向の距離ＤＹの１以外の約数（ＤＹ＝６の場合には、２、３、６）のいずれかをＹ方向の幅とするサイズに決定する。図８の例では、例えば、縦２行×横２列、縦２行×横３列、縦３行×横４列などの大きさのディザマトリクスが採用され得る。例えば、これらの候補の中から、上述したメリットとデメリットを勘案して、適切な大きさのディザマトリクスが選択されれば良い。
【００４３】
３個以上の欠陥画素ＤＰが存在する場合について説明する。例えば、ｎ個の欠陥画素ＤＰ１、ＤＰ２、...、ＤＰｎが存在する場合には、修正画像データ取得部１２０は、基準とする欠陥画素ＤＰ１に対する他の（ｎ−１）個の欠陥画素ＤＰ２、...、ＤＰｎのＸ方向の距離ＤＸ２、...、ＤＸｎを算出する。修正画像データ取得部１２０は、（ｎ−１）個の距離ＤＸ２、...、ＤＸｎの公約数をディザマトリクスのＸ方向のサイズに決定する。同様に、修正画像データ取得部１２０は、基準とする欠陥画素ＤＰ１に対する他の（ｎ−１）個の欠陥画素ＤＰ２、...、ＤＰｎのＹ方向の距離ＤＹ２、...、ＤＹｎを算出する。修正画像データ取得部１２０は、（ｎ−１）個の距離ＤＹ２、...、ＤＹｎの公約数をディザマトリクスのＹ方向のサイズに決定する。
【００４４】
このようにディザマトリクスのサイズを決定すると、ディザマトリクスを処理対象の元画像データに適用したとき、複数個の欠陥画素ＤＰに対応する複数個の欠陥対応元画素値ＤＶに適用されるディザマトリクスの閾値ＴＶが同じ値になる。例えば、複数個の欠陥画素ＤＰのうちの１個の欠陥画素に、上述した最小閾値が設定されたセルＣＥ＿ｍｉが対応するようにディザマトリクスＭＴ１（図７（Ａ））を適用すれば、他の欠陥画素ＤＰにも自動的にセルＣＥ＿ｍｉが対応する。
【００４５】
ステップＳ３４０では、修正画像データ取得部１２０は、欠陥画素ＤＰの位置に応じて、ディザマトリクスのオフセット量を決定する。
【００４６】
図９は、ディザマトリクスのオフセット量の決定について説明する図である。図９（Ａ）は、ディザマトリクスＭＴ１のＲ元画像５０Ｒに対するデフォルト位置を示している。図９（Ｂ）は、Ｒ成分の暗欠陥を有する欠陥画素ＤＰが存在する場合におけるディザマトリクスＭＴ１のＲ元画像５０Ｒに対するオフセット位置を示している。図９（Ｃ）は、Ｒ成分の明欠陥を有する欠陥画素ＤＰが存在する場合におけるディザマトリクスＭＴ１のＲ元画像５０Ｒに対するオフセット位置を示している。図９（Ａ）〜（Ｃ）では、図３（Ｂ）に示すＲ元画像５０Ｒの一部分に対する、４個のディザマトリクスＭＴ１の位置が図示されている。図の煩雑を避けるために、図９（Ａ）〜（Ｃ）では、元画素値ＰＶの具体的な値（図３（Ｂ）の「２００」）の図示を省略している。また、ディザマトリクスＭＴ１に規定された１６個の閾値ＴＶのうち、最小閾値（１６）と、最大閾値（２５５）のみを図示している。
【００４７】
図９（Ａ）のデフォルト位置では、左上角に位置する元画素値ＰＶ（１、１）に対して、ディザマトリクスＭＴ１の左上角に位置する最小閾値（１６）が対応している。そして、Ｒ成分の欠陥画素ＤＰ（画素ＰＸ（６，４）（図２））に対応する欠陥対応元画素値ＤＶには、最小閾値（１６）や最大閾値（２５５）以外の閾値が対応している。
【００４８】
ここで、修正画像データ取得部１２０は、欠陥画素ＤＰが暗欠陥である場合には、欠陥対応元画素値ＤＶに対して、最大閾値（２５５）が対応するように、ディザマトリクスＭＴ１をオフセットするためのオフセット量を決定する。図９（Ｂ）の例では、修正画像データ取得部１２０は、Ｘ軸方向のオフセット量ＯＸを「−２画素分」、Ｙ軸方向のオフセット量ＯＹを「−１画素分」と、決定する。
【００４９】
一方、修正画像データ取得部１２０は、欠陥画素ＤＰが明欠陥である場合には、欠陥対応元画素値ＤＶに対して、最小閾値（１６）が対応するように、ディザマトリクスＭＴ１をオフセットするためのオフセット量を決定する。図９（Ｃ）の例では、修正画像データ取得部１２０は、Ｘ軸方向のオフセット量ＯＸを「＋１画素分」、Ｙ軸方向のオフセット量ＯＹを「−１画素分」と、決定する。
【００５０】
ステップＳ３４５では、修正画像データ取得部１２０は、元画像データの３個の成分画像データのうち、処理対象の色成分に対応する成分画像データに対して、ディザマトリクスＭＴ１を適用して、成分修正画像データを生成する。具体的には、処理対象の色成分がＲ成分である場合には、修正画像データ取得部１２０は、ステップＳ３４０で決定されたオフセット量に応じて、オフセットされたディザマトリクスＭＴ１を、Ｒ元画像５０Ｒを表す成分画像データに対して適用して、Ｒ成分の成分修正画像データを生成する。修正画像データ取得部１２０は、Ｒ元画像５０Ｒを構成する各元画素値ＰＶと、対応するディザマトリクスＭＴ１の閾値ＴＶと、を比較する。そして、修正画像データ取得部１２０は、元画素値ＰＶが、対応する閾値ＴＶ以上である場合には、修正後の画素値ＰＶＣ（修正画素値）を「２５５」に決定し、元画素値ＰＶが、対応する閾値ＴＶより小さい場合には、修正画素値ＰＶＣを「０」に決定する。
【００５１】
図１０は、成分修正画像データについて説明する図である。図１０には、成分修正画像データによって表されるＲ修正画像５０ＲＣの一例が図示されている。この例は、図３（Ｂ）に示すＲ元画像５０Ｒを表すＲ成分の元画像データ（画素値「２００」）を修正して得られる成分修正画像データによって表されるＲ修正画像５０ＲＣである。図１０に示すように、成分修正画像データは、二値画像データである。二値画像データを構成する二値のうちの第１値は、「２５５」であり、第２値は、「０」である。ここで、修正画素値ＰＶＣは、元画像データ内の対応する元画素値ＰＶ（図３（Ｂ）の例では「２００」）を、修正して得られる画素値である。複数個の修正画素値ＰＶＣは、対応する元画素値ＰＶより大きな値を取る第１値「２５５」と、対応する元画素値より小さな値を取る第２値「０」を含む、と言うことができる。第１値「２５５」は、第１の修正画素値の例であり、第２値「０」は、第２の修正画素値の例である。
【００５２】
また、図１０（Ａ）（Ｂ）において、欠陥対応元画素値ＤＶの近傍に、複数個の第１値「２５５」と、複数個の第２値「０」とが配置されている。このことから、成分修正画像データは、欠陥画素ＤＰの近傍に位置する複数個の画素に対応する複数個の第１値「２５５」と、欠陥画素ＤＰの近傍に位置する別の複数個の画素に対応する複数個の第２値「０」と、を含むことが解る。
【００５３】
図１０（Ａ）に示すように、欠陥画素ＤＰ（図２）が暗欠陥である場合には、欠陥対応元画素値ＤＶを修正して得られる欠陥対応修正画素値ＤＶＣは、第２値「０」である。
【００５４】
図１０（Ｂ）に示すように、欠陥画素ＤＰ（図２）が明欠陥である場合には、欠陥対応元画素値ＤＶを修正して得られる欠陥対応修正画素値ＤＶＣは、第１値「２５５」である。
【００５５】
以上の説明から解るように、成分修正画像データを構成する複数個の画素値は、欠陥対応修正画素値ＤＶＣが、欠陥色値になるように配置されている。ここで欠陥色値は、第１値「２５５」と第２値「０」のうち、欠陥画素に表示される色を表す値に近い値である。欠陥画素が明欠陥である場合には、欠陥色値は、第１値「２５５」であり、欠陥画素が暗欠陥である場合には、欠陥色値は、第２値「０」である。
【００５６】
ステップＳ３５０では、修正画像データ取得部１２０は、全ての色成分を選択したか否かを判断する。未選択の色成分がある場合には（ステップＳ３５０：ＮＯ）、修正画像データ取得部１２０は、ステップＳ３１０に戻って、未選択の色成分を選択して、上述したステップＳ３１５〜Ｓ３４５の処理を繰り返す。全ての色成分が選択済みである場合には（ステップＳ３５０：ＹＥＳ）、修正画像データ取得部１２０は、ステップＳ３６０に移行する。
【００５７】
ステップＳ３６０では、修正画像データ取得部１２０は、生成された成分修正画像データを用いて、１個の修正画像データを生成する。
【００５８】
図１１は、修正画像データによって表される修正画像５０Ｃの一例を示す図である。ステップＳ３６０に移行した時点で、欠陥画素が存在する色成分に対応する成分修正画像データが生成される。例えば、表示パネル２７０Ｐに含まれるＭ１個の赤サブ画素ＳＲに、欠陥を有するサブ画素が含まれる場合には、Ｒ成分の成分修正画像データが生成され、Ｍ１個の赤サブ画素ＳＲに、欠陥を有するサブ画素が含まれない場合には、Ｒ成分の成分修正画像データは生成されない。Ｂ成分およびＧ成分の成分修正画像データについても同様である。図１１は、図５の欠陥情報記録テーブルＤＴに示す欠陥画素ＤＰが、表示パネル２７０Ｐに存在している場合の例を示している。この例では、Ｒ成分の明欠陥を有する欠陥画素（図５：１行目）と、Ｂ成分の暗欠陥に対応する欠陥画素（図５：２行目）と、が存在し、Ｇ成分の欠陥画素は、存在していない。すなわち、表示パネル２７０Ｐに含まれる１個の欠陥画素は、赤サブ画素ＳＲに関する欠陥を含み、別の１個の欠陥画素は、青サブ画素ＳＢに関する欠陥を含んでおり、緑サブ画素ＳＧに関する欠陥を含む欠陥画素は、存在していない。したがって、この場合には、ステップＳ３６０に移行した時点で、Ｒ修正画像５０ＲＣを表すＲ成分の成分修正画像データと、Ｂ修正画像５０ＢＣを表すＢ成分の成分修正画像データが生成されており、Ｇ成分の成分修正画像データは生成されない。
【００５９】
この場合には、図１１に示すように、修正画像データ取得部１２０は、Ｒ修正画像５０ＲＣを表すＲ成分の成分修正画像データ（二値画像データ）と、Ｂ修理画像５０ＢＣを表すＢ成分の成分修正画像データ（二値画像データ）と、Ｇ元画像５０Ｇを表すＧ成分の成分元画像データ（２５６階調の多値データ）と、から構成される修正画像データを生成する。この修正画像データによって表される修正画像５０Ｃは、元画像５０と同様に、コンテンツ背景画像５１Ｃと、第１アイコン画像５２Ｃと、第２アイコン画像５３Ｃと、第３アイコン画像５４Ｃと、を含んでいる。以上の説明から解るように、図１１の例では、Ｒ成分の成分修正画像データと、Ｂ成分の成分修正画像データと、は、それぞれ「第１の成分画像データ」の例である。また、Ｇ成分の元画像データは、「第２の成分画像データ」の例である。
【００６０】
ステップＳ３７０では、修正画像データ取得部１２０は、全ての種類のＵＩ画面を表す元画像データを選択したか否かを判断する。未選択の元画像データがある場合には（ステップＳ３７０：ＮＯ）、修正画像データ取得部１２０は、ステップＳ３０５に戻って、未選択の元画像データを選択して、上述したステップＳ３１０〜Ｓ３６０の処理を繰り返す。全ての元画像データが選択済みである場合には（ステップＳ３７０：ＹＥＳ）、修正画像データ取得部１２０は、修正画像データ取得処理を終了する。
【００６１】
修正画像データ取得処理が終了されると、ＵＩ制御部１００は、複数個の元画像データについて複数個の修正画像データからなる修正画像データ群を、使用する画像データに設定する（図４のＳ４０）。ＵＩ制御部１００は、修正画像データ群を、例えば、不揮発性記憶装置２２０における所定の格納領域（ＵＩ画面を表示するための画像データ群を格納する領域）に格納する。
【００６２】
Ａ−２−２．ＵＩ画面表示処理：
図１２は、ＵＩ画面表示処理のフローチャートである。ＵＩ画面表示処理は、複合機２００の動作状況や、ユーザによる操作部２６０に対する操作に応じて、ＵＩ画面を表示部２７０に表示する場合に実行される。例えば、ＵＩ画面表示処理は、複合機２００の電源投入時に、ＵＩ画面として初期画面を表示する場合、ユーザによる操作に対応してＵＩ画面を切り替える場合などに、実行される。
【００６３】
ステップＳ５０では、表示制御部１３０は、複合機２００の動作状況やユーザによる操作に応じて、表示部２７０に表示すべきＵＩ画面の種類を決定する。
【００６４】
ステップＳ５５では、表示制御部１３０は、上述した表示設定処理によって、修正画像データ群が設定済みであるか否かを判断する。修正画像データ群が設定済みでない場合には（ステップＳ５５：ＮＯ）、表示制御部１３０は、表示すべきＵＩ画面を表す元画像データを、表示画像データとして選択する。修正画像データ群が設定済みである場合には（ステップＳ５５：ＹＥＳ）、表示制御部１３０は、表示すべきＵＩ画面を表す修正画像データを、表示画像データとして選択する。
【００６５】
ステップＳ７０では、表示制御部１３０は、選択された表示画像データを用いて、表示すべきＵＩ画面を、表示部２７０に表示する。
【００６６】
ステップＳ７５では、表示制御部１３０は、表示部２７０に表示されたＵＩ画面の種類に応じて、当該ＵＩ画面に、コンテンツ画像を表示するか否かを判断する。例えば、図３に示す種類のＵＩ画面は、上述したように、コンテンツ画像を表示するための画像領域を含むので、表示制御部１３０は、コンテンツ画像を表示すると判断する。例えば、表示部２７０に表示されたＵＩ画面の種類が、コンテンツ画像を表示する必要がない画面である場合には、表示制御部１３０は、コンテンツ画像を表示しないと判断する。例えば、コンテンツ画像を表示する必要がない画面は、例えば、コンテンツ画像とは無関係の設定を行うための画面、例えば、複合機２００に対する初期設定画面などである。
【００６７】
表示制御部１３０は、コンテンツ画像を表示しない場合には（ステップＳ７５：ＮＯ）、ＵＩ画面表示処理を終了する。一方、表示制御部１３０は、コンテンツ画像を表示する場合には（ステップＳ７５：ＹＥＳ）、表示部２７０に表示されたＵＩ画面に重畳して、表示すべきコンテンツ画像を表示する。
【００６８】
図１３は、ＵＩ画面表示処理によって表示部２７０に表示されるＵＩ画面の一例を示す図である。図１３の例では、ＵＩ画面として、修正画像データによって表される修正画像５０Ｃ（図１１）が表示されている。さらに、図１３の例では、修正画像５０Ｃに含まれるコンテンツ背景画像５１Ｃに重畳して、コンテンツ画像６０が表示されている。
【００６９】
以上説明した第１実施例によれば、表示部２７０の複数の画素ＰＸ（図２）が、表示に関する欠陥を有する欠陥画素ＤＰを含む場合に、修正画像データ取得部１２０は、ＵＩ画面を表す元画像データ（図３）を修正して得られる修正画像データを取得する（図６）。表示制御部１３０は、修正画像データを用いて、ＵＩ画面を表示部２７０に表示する。この結果、ＵＩ画面が表示部２７０に表示された状態で、欠陥画素ＤＰが目立つことを抑制することができる。
【００７０】
具体的に説明すると、例えば、Ｒ成分の暗欠陥を有する欠陥画素ＤＰには、対応するＲ値とは無関係に、最低明度のＲ値「０」を含む色値で表される色が表示される。本実施例の修正画像データを用いれば、図１０（Ａ）から解るように、Ｒ成分の暗欠陥を有する欠陥画素ＤＰの近傍に位置する複数の画素に、最低明度のＲ値「０」を含む色値で表される色が表示される。この結果、欠陥画素ＤＰに表示される色と類似する色が、欠陥画素ＤＰの近傍に位置する複数の画素に表示される。この結果、欠陥画素ＤＰが目立つことを抑制することができる。さらに、欠陥画素ＤＰの近傍に位置する別の複数の画素に、最高明度のＲ値「２５５」を含む色値で表される色が表示される。この結果、Ｒ成分の暗欠陥を有する欠陥画素ＤＰの近傍領域の平均色を、本来表示すべき色（元画像の色）に、近づけることができる。この結果、Ｒ成分の暗欠陥を有する欠陥画素ＤＰが目立つことを抑制しつつ、本来表示すべき元画像と比べて違和感のない修正画像を、表示部２７０に表示することができる。他の成分（Ｇ成分またはＢ成分）の暗欠陥を有する欠陥画素ＤＰが存在する場合についても同様である。
【００７１】
また、例えば、Ｒ成分の明欠陥を有する欠陥画素ＤＰには、対応するＲＧＢ値のＲ値とは無関係に、最高明度のＲ値「２５５」を含む色値で表される色が表示される。本実施例の修正画像データを用いれば、図１０（Ｂ）から解るように、Ｒ成分の明欠陥を有する欠陥画素ＤＰの近傍に位置する複数の画素に、最高明度のＲ値「２５５」を含む色値で表される色が表示される。この結果、欠陥画素ＤＰに表示される色と類似する色が、欠陥画素ＤＰの近傍に位置する複数の画素に表示される。この結果、Ｒ成分の明欠陥を有する欠陥画素ＤＰが目立つことを抑制することができる。さらに、Ｒ成分の明欠陥を有する欠陥画素ＤＰの近傍に位置する別の複数の画素に、最低明度のＲ値「０」を含む色値で表される色が表示される。この結果、Ｒ成分の明欠陥を有する欠陥画素ＤＰの近傍領域の平均色を、本来表示すべき色（元画像の色）に、近づけることができる。この結果、Ｒ成分の明欠陥を有する欠陥画素ＤＰが目立つことを抑制しつつ、本来表示すべき元画像と比べて違和感のない修正画像を、表示部２７０に表示することができる。他の成分（Ｇ成分またはＢ成分）の明欠陥を有する欠陥画素ＤＰが存在する場合についても同様である。
【００７２】
さらに、成分修正画像データは、元画像データの成分画像データに対して、ディザマトリクスＭＴ１を適用して得られる二値画像データである。この結果、修正画像データは、欠陥画素ＤＰを含む領域の色を適切に再現することができる。
【００７３】
さらに、成分修正画像データ（二値画像データ）を構成する二値のうちの第１値は、元画素値が取り得る値の最大値「２５５」であり、第２値は、元画素値が取り得る値の最小値「０」である。この結果、より欠陥画素ＤＰに表示される色（最明色または最暗色）に近い色を、欠陥画素ＤＰの近傍に表示することができるので、より欠陥画素ＤＰが目立つことを抑制することができる。
【００７４】
さらに、ディザマトリクスＭＴ１を適切にオフセットして使用することによって、成分修正画像データ（二値画像データ）において、欠陥画素ＤＰに対応する画素値（図１０の欠陥対応修正画素値ＤＶＣ）は、二値（２５５または０）のうち、欠陥画素ＤＰに表示される色を表す色値に近い値とされている。例えば、欠陥画素ＤＰが暗欠陥である場合には、欠陥対応修正画素値ＤＶＣは「０」にされ（図１０（Ａ））、欠陥画素ＤＰが明欠陥である場合には、欠陥対応修正画素値ＤＶＣは「２５５」にされる（図１０（Ｂ））。この結果、欠陥画素ＤＰを有する表示部２７０に修正画像を表示した場合に、欠陥画素ＤＰを含む領域に表示される色を、本来表示すべき元画像の色により近づけることができるとともに、欠陥画素ＤＰが目立つことをより効果的に抑制することができる。
【００７５】
さらに、欠陥画素ＤＰ（図２）が暗欠陥である場合には、すなわち、欠陥色値が第２値「０」である場合には、欠陥対応元画素値ＤＶに対応する閾値ＴＶが最大閾値（ディザマトリクスＭＴ１の場合は「２５５」）となるように、ディザマトリクスＭＴ１がオフセットされて適用される（図９（Ｂ））。欠陥対応元画素値ＤＶに対して、最大閾値を適用すれば、他の閾値を適用する場合と比較して、適用した結果として生成される欠陥対応修正画素値ＤＶＣが、「０」になる可能性が高くすることができる。例えば、修正画像データ取得部１２０は、欠陥対応元画素値ＤＶが最大閾値以上（本実施例では「２５５」）でない限り、欠陥対応修正画素値ＤＶＣが、欠陥色値（第２値「０」）となるように、成分修正画像データを生成することができる（図１０（Ａ））。
【００７６】
同様に、欠陥画素ＤＰ（図２）が明欠陥である場合には、すなわち、欠陥色値が第１値「２５５」である場合には、欠陥対応元画素値ＤＶに対応する閾値ＴＶが最小閾値（ディザマトリクスＭＴ１の場合は「１６」）となるように、ディザマトリクスＭＴ１がオフセットされて適用される（図９（Ｃ））。欠陥対応元画素値ＤＶに対して、最小閾値を適用すれば、他の閾値を適用する場合と比較して、適用した結果として生成される欠陥対応修正画素値ＤＶＣが、「２５５」になる可能性が高くすることができる。例えば、修正画像データ取得部１２０は、欠陥対応元画素値ＤＶが最小閾値未満（本実施例では、「０〜１５」）でない限り、欠陥対応修正画素値ＤＶＣが、欠陥色値（第１値「２５５」）となるように、成分修正画像データを生成することができる（図１０（Ｂ））。
【００７７】
さらに、図８を参照して説明したように、同じ種類の欠陥画素が複数個存在する場合には、適切な大きさのディザマトリクスを選択して、欠陥画素に適切な閾値（最大閾値または最小閾値）を適用している。この結果、複数個の欠陥画素に対応した成分修正画像データを生成して、複数個の欠陥画素が目立つことを抑制することができる。
【００７８】
Ｂ．第２実施例：
図１４は、第２実施例のマトリクスについて説明する図である。第２実施例では、ディザマトリクスＭＴ１、ＭＴ２に代えて、図１４に示す修正用マトリクスＭＴ３、ＭＴ４が用いられる。修正用マトリクスＭＴ３（図１４（Ａ））は、マトリクス状に並べられた縦４行×横４列（計１６個）のセルを備えている。修正用マトリクスＭＴ３の１６個のセルは、左角の「＊」印が付された１個の注目セルＣＬＡと、注目セルＣＬＡの周辺に位置する１５個の周辺セルＣＬＳとを含んでいる。１５個の周辺セルＣＬＳには、分配係数ＤＲが設定されている。図１４（Ａ）の各周辺セルＣＬＳの内部に示した数字は、各周辺セルＣＬＳに設定されている分配係数ＤＲを示している。分配係数ＤＲは、分母を周辺セルＣＬＳの数とし、分子を「１」とした値（修正用マトリクスＭＴ３の場合は「１／１５」）に設定されている。分配係数ＤＲの値は、全ての周辺セルＣＬＳで同じである必要はないが、全ての周辺セルＣＬＳの分配係数ＤＲの和が「１」となるように設定されることが好ましい。こうすれば、欠陥画素ＤＰの近傍の領域の元画像の色を、修正画像において、適切に再現することができる。
【００７９】
デフォルトの修正用マトリクスは、縦４行×横４列のセルＣＥを備える修正用マトリクスＭＴ３に限らず、様々な大きさのディザマトリクスが採用され得る。例えば、図１４（Ｂ）に示すように、縦２行×横８列（計８個）のセルを備える修正用マトリクスＭＴ４が採用されても良い。以下、図６のフローチャートを参照しながら、第２実施例の処理を説明する。
【００８０】
ステップＳ３３０では、修正画像データ取得部１２０は、デフォルトサイズの修正用マトリクスを選択する。また、ステップＳ３３５では、修正画像データ取得部１２０は、複数個の欠陥画素に応じたサイズの修正用マトリクスを選択する。修正用マトリクスのサイズの決定手法は、第１実施例と同様である（図８参照）。
【００８１】
ステップＳ３４０では、修正画像データ取得部１２０は、欠陥画素ＤＰの位置に応じて、修正用マトリクスのオフセット量を決定する。
【００８２】
図１５は、修正用マトリクスのオフセット量の決定について説明する図である。図１５（Ａ）は、修正用マトリクスＭＴ３のＲ元画像５０Ｒに対するデフォルト位置を示している。図１５（Ｂ）は、修正用マトリクスＭＴ３のＲ元画像５０Ｒに対するオフセット位置を示している。なお、第２実施例において決定されるオフセット量は、欠陥画素ＤＰが明欠陥である場合であっても、欠陥画素ＤＰが暗欠陥である場合であっても同一である。図１５（Ａ）、（Ｂ）では、図３（Ｂ）に示すＲ元画像５０Ｒの一部分に対する、４個の修正用マトリクスＭＴ３の位置が図示されている。図の煩雑を避けるために、図１５（Ａ）（Ｂ）では、元画素値ＰＶの具体的な値（図３（Ｂ）の「２００」）の図示と、修正用マトリクスＭＴ４の分配係数ＤＲの図示を省略している。修正用マトリクスは、図１５に示すように、ディザマトリクスと同様に、Ｒ元画像５０Ｒ上に、隙間なく、縦方向および横方向に並べて適用される。
【００８３】
図１５（Ａ）のデフォルト位置では、左上角に位置する元画素値ＰＶ（１、１）に対して、ディザマトリクスＭＴ１の左上角のセルが対応している。そして、Ｒ成分の欠陥画素ＤＰ（画素ＰＸ（６，４）（図２））に対応する欠陥対応元画素値ＤＶには、注目セルＣＬＡではなく、周辺セルＣＬＳが対応している。
【００８４】
修正画像データ取得部１２０は、欠陥対応元画素値ＤＶに対して、注目セルＣＬＡが対応するように、修正用マトリクスＭＴ３をオフセットするためのオフセット量を決定する。図１５（Ｂ）の例では、修正画像データ取得部１２０は、Ｘ軸方向のオフセット量ＯＸを「−２画素分」、Ｙ軸方向のオフセット量ＯＹを「−１画素分」と、決定する。
【００８５】
ステップＳ３４５では、修正画像データ取得部１２０は、処理対象の色成分に対応する成分画像データに対して、修正用マトリクスＭＴ３を適用して、成分修正画像データを生成する。具体的には、処理対象の色成分がＲ成分である場合には、修正画像データ取得部１２０は、ステップＳ３４０で決定されたオフセット量に応じて、修正用マトリクスＭＴ３を、Ｒ元画像５０Ｒを表す成分画像データに対して適用して、Ｒ成分の成分修正画像データを生成する。
【００８６】
修正画像データ取得部１２０は、先ず、注目セルＣＬＡに対応する注目画素の元画素値ＰＶを、修正画素値ＰＶＢに変更する（図１４）。明欠陥の場合には、注目画素の修正画素値ＰＶＢは、最高明度を表す値「２５５」であり、暗欠陥の場合には、注目画素の修正画素値ＰＶＢは、最低明度を表す値「０」である（図１４）。修正画像データ取得部１２０は、次に、注目画素の元画素値ＰＶと、注目画素の修正画素値ＰＶＢとの差分値Ｄｔを算出する。差分値Ｄｔは、欠陥画素ＤＰが明欠陥である場合には、（ＰＶ−２５５）であり、欠陥画素ＤＰが暗欠陥である場合には、（ＰＶ−０）である（図１４）。
【００８７】
次に、修正画像データ取得部１２０は、周辺セルＣＬＳに対応する各周辺画素の元画素値ＰＶに、差分値Ｄｔを分配して、各周辺画素の修正画素値ＰＶＢを算出する（図１４）。具体的には、修正画像データ取得部１２０は、差分値Ｄｔに対して、対応する分配係数ＤＲを乗じて得られる乗算値を（Ｄｔ×ＤＲ）を、元画素値ＰＶに対して加算することによって、各周辺画素の修正画素値ＰＶＢを算出する（ＰＶＢ＝ＰＶ＋（Ｄｔ×ＤＲ））。
【００８８】
第２実施例のその他の処理は、第１実施例と同一であるので、説明を省略する。
【００８９】
図１６は、第２実施例の成分修正画像データについて説明する図である。図１６には、成分修正画像データによって表されるＲ修正画像５０ＲＢの一例が図示されている。図１６に示すように、Ｒ修正画像５０ＲＢは、複数個の注目画素の修正画素値ＰＶＢと、複数個の周辺画素の修正画素値ＰＶＢを含む。
【００９０】
欠陥画素ＤＰが暗欠陥である場合には、図１６（Ａ）の例では、複数個の注目画素の修正画素値ＰＶＢ（０）は、欠陥画素ＤＰに表示される色を表す画素値であり、複数個の周辺画素の修正画素値ＰＶＢ（２１３）は、注目画素の修正画素値ＰＶＢ（０）と比較して、欠陥画素ＤＰに表示される色を表す画素値から離れた画素値である。ここで、修正画素値ＰＶＢは、元画像データ内の対応する元画素値ＰＶ（図３（Ｂ）の例では「２００」）を、修正して得られる画素値である。複数個の修正画素値ＰＶＢは、対応する元画素値ＰＶより大きな値「２１３」と、対応する元画素値ＰＶより小さな値「０」を含む、と言うことができる。以上から解るように、図１６（Ａ）の例では、複数個の注目画素の修正画素値ＰＶＢ（０）は、第２の修正画素値の例であり、複数個の周辺画素の修正画素値ＰＶＢ（２１３）は、第１の修正画素値の例である。
【００９１】
欠陥画素ＤＰが明欠陥である場合には、図１６（Ｂ）の例では、複数個の注目画素の修正画素値ＰＶＢ（２５５）は、欠陥画素ＤＰに表示される色を表す画素値であり、複数個の周辺画素の修正画素値ＰＶＢ（１９３）は、注目画素の修正画素値ＰＶＢ（２５５）と比較して、欠陥画素ＤＰに表示される色を表す画素値から離れた画素値である。複数個の修正画素値ＰＶＢは、対応する元画素値ＰＶより大きな値「２５５」と、対応する元画素値ＰＶより小さな値「１９３」を含む、と言うことができる。以上から解るように、図１６（Ｂ）の例では、複数個の注目画素の修正画素値ＰＶＢ（２５５）は、第１の修正画素値の例であり、複数個の周辺画素の修正画素値ＰＶＢ（１９３）は、第２の修正画素値の例である。
【００９２】
また、図１６（Ａ）（Ｂ）から解るように、複数個の注目画素の修正画素値ＰＶＢは、元画素値ＰＶが取り得る最大値および最小値のうちの一方の画素値（「０」または「２５５」）を有する。また、複数個の周辺画素の修正画素値ＰＶＢは、元画素値ＰＶが取り得る値のうち、最大値および最小値を除いたいずれかの画素値を有する（図１６の例では、「２１３」または「１９６」）。
【００９３】
以上のように、第２実施例によれば、この結果、欠陥画素ＤＰに表示される色と類似する色が、欠陥画素ＤＰの近傍に位置する複数の画素に表示される。この結果、欠陥画素ＤＰが目立つことを抑制することができる。さらに、欠陥画素ＤＰの近傍に位置する別の複数の画素に、本来表示すべき色を表す画素値（元画素値ＰＶ）に、差分値Ｄｔを加えた画素値で表される色が表示される。この結果、欠陥画素ＤＰの近傍領域の平均色を、本来表示すべき色（元画像の色）に、近づけることができる。この結果、欠陥画素ＤＰが目立つことを抑制しつつ、本来表示すべき元画像と比べて違和感のない修正画像を、表示部２７０に表示することができる。
【００９４】
また、第２実施例では、注目画素に対応する修正画素値ＰＶＢと、注目画素に対応する元画素値ＰＶと、の差分値Ｄｔを、修正用マトリクスＭＴ３を用いて、周辺画素に対応する元画素値ＰＶに分配することによって、周辺画素に対応する修正画素値ＰＶＢを算出する。第１実施例のようにディザマトリクスを用いる場合には、ディザマトリクスのサイズに対応した階調数しか再現できないが、第２実施例では、より多くの階調数を再現することができる。この結果、修正画像において、元画像の色をより精度良く再現することができる。
【００９５】
また、図１６（Ａ）（Ｂ）に示すように、Ｒ修正画像５０ＲＢには、修正用マトリクスによって規定される注目画素と周辺画素とを含む画素配列パターンが、複数個並べられることが解る。そして、複数個の画素配列パターンは、欠陥画素ＤＰに表示される色を表す画素値が欠陥画素ＤＰの位置に対応するように配置される。例えば、欠陥画素ＤＰが暗欠陥である場合、すなわち、欠陥画素ＤＰに表示される色が、元画素値ＰＶの取り得る値の最小値「０」に対応する色である場合には、当該最小値「０」が欠陥対応修正画素値ＤＶＢになるように配置される。また、欠陥画素ＤＰが明欠陥である場合、すなわち、欠陥画素ＤＰに表示される色が、元画素値ＰＶの取り得る値の最大値「２５５」に対応する色である場合には、当該最大値「２５５」が欠陥対応修正画素値ＤＶＢになるように配置される。欠陥画素ＤＰに表示される色を表示する画素と、欠陥画素ＤＰに表示される色を表示する画素から離れた色を表示する画素とが、画素配置パターンに従って規則的に配置されるので、欠陥画素がより目立ちにくくすることができる。
【００９６】
Ｃ．第３実施例：
Ｃ−１．表示設定システムの構成：
第３実施例では、複合機の製造方法について説明する。図１７は、第３実施例の製造方法で用いられる表示設定システム１０００の概略構成図である。表示設定システム１０００は、表示設定の対象となる複合機２００Ｂと、複合機２００Ｂと接続されて、複合機２００Ｂに対して表示設定を実行する設定用コンピュータ３００と、を備える。
【００９７】
図１７に示すように、第３実施例の複合機２００Ｂは、ＣＰＵ２１０Ｂと、表示部２７０Ｂと、不揮発性記憶装置２２０Ｂとを備えている。表示部２７０Ｂの構成は、第１実施例の複合機２００の表示部２７０（図１）と同一である。不揮発性記憶装置２２０Ｂには、第１実施例のコンピュータプログラム２２２（図１）とは異なる制御プログラム２２２Ｂが格納されている。ＣＰＵ２１０Ｂは、制御プログラム２２２Ｂを実行することによって、装置制御部２０Ｂと、表示制御部１３０Ｂとして機能する。装置制御部２０Ｂの機能は、第１実施例の装置制御部２０（図１）と同一である。表示制御部１３０Ｂは、後述する設定用コンピュータ３００によって設定される表示設定に従って、ＵＩ画面を表示部２７０Ｂに対して表示する。ＣＰＵ２１０Ｂは、第１実施例のＣＰＵ２１０（図１）とは異なり、欠陥情報取得部１１０と修正画像データ取得部１２０としての機能を備えていない。
【００９８】
なお、複合機２００Ｂは、さらに、第１実施例の複合機２００と同様に、揮発性記憶装置２３０と、プリンタ部２４０と、スキャナ部２５０と、操作部２６０と、通信部２８０とを、備えているが、図１７において図示を省略する。これらの要素の構成は、第１実施例の複合機２００の同名の要素の構成と、同一である。
【００９９】
設定用コンピュータ３００は、ＣＰＵ３１０と、不揮発性記憶装置３２０と、揮発性記憶装置（図示せず）と、を備える周知のコンピュータである。不揮発性記憶装置３２０には、設定プログラム３２２と、ＵＩ用画像データ群３２６と、マトリクスデータ３２８が格納されている。ＵＩ用画像データ群３２６、マトリクスデータ３２８は、第１実施例の同名の構成要素と同じである。ＣＰＵ３１０は、設定プログラム３２２を実行することによって、複合機２００Ｂに対する表示設定を実行する設定処理部１００Ｂとして機能する。設定処理部１００Ｂは、欠陥情報取得部１１０Ｂと、修正画像データ取得部１２０Ｂと、を備えている。設定処理部１００Ｂが備えるこれらの機能部は、第１実施例のＵＩ制御部１００が備える同名の機能部と、基本的に同様の処理を実行する。
【０１００】
Ｃ−２．表示設定システム１０００による複合機２００Ｂに対する表示設定：
図１８は、表示設定のフローチャートである。この表示設定は、複合機２００Ｂの製造工程の中の１つの工程として実行される。ステップＳ１では、複合機２００Ｂを製造する作業者は、設定対象となる複合機２００Ｂを準備し、当該２００Ｂを設定用コンピュータ３００と接続する。複合機２００Ｂは、作業者自身によって製造されることによって準備されても良いし、作業者以外の者によって製造されて作業者に対して譲渡されることによって準備されても良い。複合機２００Ｂと接続された設定用コンピュータ３００は、例えば、複合機２００ＢのＣＰＵ２１０と同様に、複合機２００Ｂの不揮発性記憶装置２２０Bへのアクセスや、表示部２７０や通信部２８０などの制御が可能である。
【０１０１】
ステップＳ２では、作業者が、欠陥情報の入力を実行する。具体的には、先ず、設定用コンピュータ３００の欠陥情報取得部１１０Ｂが、第１実施例における欠陥情報取得部１１０と同様に、複合機２００Ｂの表示部２７０Ｂに欠陥情報入力画面（図２参照）を表示する。そして、作業者が、欠陥情報入力画面を介して、第１実施例と同様の欠陥情報を入力する。
【０１０２】
ステップＳ３では、設定用コンピュータ３００の欠陥情報取得部１１０Ｂは、入力された欠陥情報を取得して、欠陥情報記録テーブルＤＴ（図５）に記録する。
【０１０３】
ステップＳ４では、設定用コンピュータ３００の修正画像データ取得部１２０Ｂは、修正画像データ取得処理を実行する。ここで、実行される修正画像データ取得処理は、第１実施例の修正画像データ取得処理（図６）と同一である。
【０１０４】
ステップＳ５では、設定用コンピュータ３００の設定処理部１００Ｂは、複合機２００Ｂの装置制御部２０Ｂが、ステップＳ４にて生成された修正画像データ群を用いて、表示部２７０にＵＩ画面（修正画像）を表示するように、装置制御部２０Ｂに対する設定を実行する。例えば、設定処理部１００Ｂは、複合機２００の不揮発性記憶装置２２０Ｂに、生成された修正画像データを、ＵＩ画面の種類ごとに、１個ずつ格納する。
【０１０５】
以上説明した表示設定を含む製造方法によれば、当該製造方法で製造された複合機２００Ｂは、第１実施例における複合機２００と同様の効果を発揮することができる。また、第１実施例における複合機２００と異なり、複合機２００ＢのＣＰＵ２１０Ｂは、表示設定処理（図４、図６）を実行する必要がないので、ＣＰＵ２１０Ｂの処理負荷を低減することができる。また、複合機２００Ｂの不揮発性記憶装置２２０Ｂに、元画像データを格納する必要がないので、不揮発性記憶装置２２０Ｂの必要な容量を低減することができる。
【０１０６】
Ｃ．変形例：
（１）上記各実施例では、欠陥対応修正画素値を、暗欠陥の場合には、取り得る値の最小値「０」、明欠陥の場合には、取り得る値の最大値「２５５」としているが、必ずしも最小値または最大値とする必要はない。例えば、欠陥対応修正画素値を、暗欠陥の場合には、「０〜２０」の範囲のいずれかの値、明欠陥の場合には、「２３５〜２５５」の範囲のいずれかの値としても良い。一般的には、欠陥対応修正画素値は、欠陥画素に表示される色を表す画素値にほぼ等しい画素値であることが好ましい。
【０１０７】
（２）上記第２実施例において、修正用マトリクスＭＴ３によって規定される修正画像における画素配列パターンは、１個の注目画素と１５個の周辺画素とを含んでいる。注目画素の数と周辺画素の数は、様々な値が採用可能であり、一般的には、少なくとも１個の注目画素と、少なくとも１個の周辺画素とを含む画素配置パターンであれば良い。
【０１０８】
（３）上記実施例の表示部２７０は、カラー表示が可能な表示部であるが、モノクロ表示のみが可能な表示部が採用されても良い。この場合には、複数種類のサブ画素は存在しないので、色成分は、１個である。従って、欠陥画素の種類は、明欠陥（常に白を表示する）と、暗欠陥（常に黒を表示する）と、の２種類だけとなる。
【０１０９】
（４）上記実施例では、欠陥画素の色に対応する成分画像データの全体を修正して成分修正画像データを生成している。これに代えて、成分画像データのうち、欠陥画素の周辺の一部の領域に対応する部分画像データだけを修正して、成分修正画像データを生成しても良い。例えば、図３に示す例では、元画像５０は、複数個の部分画像５１〜５４を含んでいるが、これらの部分画像のうち、表示パネル２７０Ｐの欠陥画素を含む領域に表示される部分画像を表す部分画像データだけを修正して、成分修正画像データを生成しても良い。
【０１１０】
（５）上記実施例の表示部２７０は、複合機２００に備えられた表示部であるが、これに限られない。例えば、パーソナルコンピュータなどの汎用の計算機や、スマートフォンなどの携帯端末のディスプレイに、本発明を適用しても良い。また、デジタルカメラに設けられた液晶パネル、例えば、撮影時には、被写体を表す画像を表示し、設定処理などの操作時にはＵＩ画面が表示される液晶パネルに、本発明を適用しても良い。
【０１１１】
（６）複数の候補画像データが用意される特定種の画像は、ＵＩ画面を表す画像に限られない。例えば、汎用の計算機や、携帯端末のためのディスプレイに、本発明を適用する場合には、例えば、特定種の画像は、いわゆる壁紙と呼ばれる背景画像であっても良い。
【０１１２】
（７）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【０１１３】
（８）本発明の機能の一部または全部がソフトウェアで実現される場合には、そのソフトウェア（コンピュータプログラム）は、コンピュータ読み取り可能な記録媒体に格納された形で提供することができる。「コンピュータ読み取り可能な記録媒体」は、メモリーカードやＣＤ−ＲＯＭのような携帯型の記録媒体に限らず、各種のＲＡＭやＲＯＭ等のコンピュータ内の内部記憶装置や、ハードディスクドライブ等のコンピュータに接続されている外部記憶装置も含んでいる。
【０１１４】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１１５】
１００...ＵＩ制御部、１１０...情報取得部、１２０...選択部、１３０...算出部、１４０...欠陥画素値取得部、１５０...対応画素値取得部、１６０...表示制御部、２００...複合機、２１０...ＣＰＵ、２２０...不揮発性記憶装置、２２２...コンピュータプログラム、２２４...コンテンツ画像データ群、２２６...ＵＩ用画像データ群、２３０...揮発性記憶装置、２４０...プリンタ部、２５０...スキャナ部、２６０...操作部、２７０...表示部、２８０...通信部、３００...設定用コンピュータ 
【図１】
2014052613.tif 000003
【図２】
2014052613.tif 000004
【図３】
2014052613.tif 000005
【図４】
2014052613.tif 000006
【図５】
2014052613.tif 000007
【図６】
2014052613.tif 000008
【図７】
2014052613.tif 000009
【図８】
2014052613.tif 000010
【図９】
2014052613.tif 000011
【図１０】
2014052613.tif 000012
【図１１】
2014052613.tif 000013
【図１２】
2014052613.tif 000014
【図１３】
2014052613.tif 000015
【図１４】
2014052613.tif 000016
【図１５】
2014052613.tif 000017
【図１６】
2014052613.tif 000018
【図１７】
2014052613.tif 000019
【図１８】
2014052613.tif 000020